(57)【要約】【課題】光検出器の所定の受光領域に不要光が入射するのを防止する。【解決手段】第１の光路を通過する第１の波長の光を収束して光ディスクに照射させる第１の対物レンズを備える。そして、第１の光路とほぼ平行の第２の光路を通過する第２の波長の光を収束して光ディスクに照射させる第２の対物レンズを備える。さらに、第１の光路と第２の光路の間に配置された遮光部を備える。そして、この遮光部は、光ディスクにより反射される第１の波長の反射光のうち、第１の光路からはみ出した不要光が第２の光路側に侵入するのを遮る。【選択図】図３
2012059342.tif 000002
【特許請求の範囲】
【請求項１】
第１の光路を通過する第１の波長の光を収束して光ディスクに照射させる第１の対物レンズと、
第１の光路とほぼ平行の第２の光路を通過する第２の波長の光を収束して光ディスクに照射させる第２の対物レンズと、
前記第１の光路と前記第２の光路の間に配置され、光ディスクにより反射される前記第１の波長の反射光のうち、前記第１の光路からはみ出した不要光が前記第２の光路側に侵入するのを遮る遮光部と、
を備える光ピックアップ。
【請求項２】
さらに、
共通の光路で入射される前記第１および第２の波長の光を、それぞれ前記第１および第２の光路に導くとともに、前記第１および第２の波長の光がそれぞれ光ディスクで反射されてなる第１および第２の波長の反射光を、光検出器に入射させる光束分離合成部と、
前記第１の光路上において、前記光束分離合成部と前記第１の対物レンズとの間に設けられた第１のコリメータレンズと、
前記第２の光路上において、前記光束分離合成部と前記第２の対物レンズとの間に設けられた第２のコリメータレンズと、を備え、
前記遮光部が、前記第１および第２のコリメータレンズと、前記第１および第２の対物レンズの間に配置された
請求項１に記載の光ピックアップ。
【請求項３】
さらに、
前記第１および第２の光路上において、前記第１および第２のコリメータレンズと、前記第１および第２の対物レンズとの間に設けられ、入射された前記第１および第２の波長の光をそれぞれ前記第１および第２の対物レンズに入射させるとともに、入射された前記第１および第２の波長の反射光をそれぞれ前記第１および第２のコリメータレンズを介して前記光束分離合成部に入射させるミラー部を備え、
前記遮光部が前記ミラー部に配置された
請求項２に記載の光ピックアップ。
【請求項４】
前記ミラー部は、前記第１の光路上に配置される第１のミラーと、前記第２の光路上に配置される第２のミラーとを含み、
前記遮光部が前記第１のミラーと前記第２のミラーとの間に配置された
請求項３に記載の光ピックアップ。
【請求項５】
前記遮光部が三角形の板状に形成されている
請求項３または４に記載の光ピックアップ。
【請求項６】
さらに、
共通の光路で入射される前記第１および第２の波長の光のうち、前記第１の波長の光を反射させて前記第１の光路に導くとともに、前記第２の波長の光を透過させる波長選択部と、
前記波長選択部を透過した前記第２の波長の光を反射させて前記第２の光路に導く反射部と、を備え、
前記遮光部が前記波長選択部上に配置された
請求項１に記載の光ピックアップ。
【請求項７】
第１の光路を通過する第１の波長の光を収束して光ディスクに照射させる第１の対物レンズと、
第１の光路とほぼ平行の第２の光路を通過する第２の波長の光を収束して光ディスクに照射させる第２の対物レンズと、
前記第１の光路と前記第２の光路の間に配置され、光ディスクにより反射される前記第１の波長の反射光のうち、前記第１の光路からはみ出した不要光が前記第２の光路側に侵入するのを遮る遮光部と、を有する光ピックアップ
を備える光ディスク装置。
【発明の詳細な説明】
【技術分野】
【０００１】
本発明は光ピックアップおよび光ディスク装置に関し、特に複数の記録層を有する光ディスクに対応する光ピックアップおよび光ディスク装置に適応して好適なものである。
【背景技術】
【０００２】
従来、赤色レーザ光を用いて再生又は記録されるＣＤ（Compact Disc）やＤＶＤ（Digital Versatile Disc）等の光ディスクが広く普及している。しかしながら、さらなる記録密度の向上および大容量化の要求に応えるため、波長４０５ｎｍの青紫色レーザ光を用いて再生又は記録されるブルーレイディスク（登録商標）などの次世代光ディスクが登場している。これに伴い、ＣＤ、ＤＶＤおよびブルーレイディスク（ＢＤ：Blu-ray Disc）の３種類の光ディスクを使用し得るようになされた光ディスク装置が開発されている。
【０００３】
このような光ディスク装置で用いられる複数種類光ディスク対応の光ピックアップにおいて、ＣＤ、ＤＶＤおよびＢＤにそれぞれ対応する３種の波長のレーザ光を、共通の光学系を用いて対物レンズに照射するよう構成したとする。この場合、ＣＤ、ＤＶＤおよびＢＤに対しそれぞれのフォーマットに応じた最適な光学倍率を実現し得なくなる。
【０００４】
このため、ＢＤと、ＤＶＤ又はＣＤとで２系統の相異なる焦点距離を持つ対物レンズを備えた光学系を有する光ピックアップが提案されている（例えば、特許文献１を参照）。
【０００５】
図７は、従来の光ディスク装置が備える光ピックアップを示す概略構成図である。
光ピックアップ７０は、波長４０５ｎｍのレーザ光をＢＤ用の光ＬＩとして出射する光源部２１Ａと、波長６６０ｎｍのレーザ光又は波長７８０ｎｍをＤＶＤ用の光ＬＩ’又はＣＤ用の光ＬＩ’’として出射する光源部２１Ｂとを有する。さらに、光ＬＩを収束して光ディスク１１０に照射するＢＤ用の対物レンズ２７と、光ＬＩ’又は光ＬＩ’’を収束して光ディスク１２０に照射するＤＶＤ／ＣＤ兼用の対物レンズ３０とを有している。
【０００６】
光ピックアップ７０は、記録又は再生時には、当該記録又は再生する光ディスクの種類に応じた波長の光を一つだけ、光源部２１Ａあるいは光源部２１Ｂから出射する。具体的には、光ディスクがＢＤの場合には光源部２１Ａから光ＬＩを、ＤＶＤの場合には光源部２１Ｂから光ＬＩ’を、ＣＤの場合には光源部２１Ｂから光ＬＩ’’を出射させる。
【０００７】
偏光ビームスプリッタ２３は、その偏光分離面２３Ｓにより、光ＬＩをその偏光方向に応じて直角に反射させる。また、第２の回折光学素子２２を介して入射された光ＬＩ’（又はＬＩ’’、以下同様）をその偏光方向に応じて透過させて偏光ビームスプリッタ２４に入射させる。
【０００８】
偏光ビームスプリッタ２４は、その偏光分離面２４Ｓにより光ＬＩをその偏光方向に応じて直角に反射させ、その反射させた光ＬＩを反射面２４Ｒでさらに直角に反射させてコリメータレンズ２５に入射させる。また、偏光ビームスプリッタ２４は、光ＬＩ’をその偏光方向に応じて透過させてコリメータレンズ２８に入射させる。
【０００９】
コリメータレンズ２５は、偏光ビームスプリッタ２４から出射された光ＬＩを平行光に変換し、１／４波長板２６を介して対物レンズ２７に入射させる。一方、コリメータレンズ２８は、偏光ビームスプリッタ２４から出射された光ＬＩ’を平行光に変換し、１／４波長板２９を介して対物レンズ３０に入射させる。
【００１０】
対物レンズ２７は、光ＬＩを集光して、ＢＤである光ディスク１１０の記録層に照射させる。そして、当該記録層で反射された反射光ＬＲを受光し、１／４波長板２６およびコリメータレンズ２５を介して偏光ビームスプリッタ２４に再度入射させる。
【００１１】
一方、対物レンズ３０は、光ＬＩ’を集光してＤＶＤ又はＣＤである光ディスク１２０の記録層に照射させる。そして、当該記録層で反射された反射光ＬＲ’（又はＬＲ’’、以下同様）を受光し、１／４波長板２９およびコリメータレンズ２８を介して偏光ビームスプリッタ２４に再度入射させる。
【００１２】
偏光ビームスプリッタ２４は、反射面２４Ｒにより反射光ＬＲを直角に反射させ、当該直角に反射させた反射光ＬＲをその偏光方向に応じて偏光分離面２４Ｓにより透過させ、第１の回折光学素子３１に入射させる。また、偏光ビームスプリッタ２４は、偏光分離面２４Ｓにより、反射光ＬＲ’その偏光方向に応じて直角に反射させ、第１の回折光学素子３１に入射させる。以下、反射光ＬＲ’は、反射光ＬＲと同じ光路を辿るので、その説明は省略する。
【００１３】
第１の回折光学素子３１は、入射された反射光ＬＲを回折させて０次光および１次光に分離する。すなわち、０次光でなる反射光ＬＲ（以下、「反射光ＬＲ０」という）をほぼ直進させるとともに、１次光でなる反射光ＬＲ（以下、「反射光ＬＲ１」という）を反射光ＬＲ０とは別の方向に進行させ、シリンドリカルレンズ３３へ入射させる。そして、シリンドリカルレンズ３３は、反射光ＬＲ０および反射光ＬＲ１を光検出器３４に集光させる。
【００１４】
次に、第１の回折光学素子３１と、これにより回折される反射光ＬＲの光検出器３４における受光位置について図８を参照して説明する。なお、反射光ＬＲ’および反射光ＬＲ’に関する光検出器３４における受光位置は、反射光ＬＲのそれとほぼ同じであるので、説明は省略する。
【００１５】
反射光ＬＲ０は、図８に示すように、第１の回折光学素子３１を直進し、この第１の回折光学素子３１に入射された反射光ＬＲの光軸上に位置する第５の受光部ＤＡで受光される。
【００１６】
一方、反射光ＬＲ１は、第１の回折光学素子３１を通過する位置に応じた所定の方向に回折されており、図８に示すように、反射光ＬＲ１Ｆ、ＬＲ１Ｅ、ＬＲ１Ｈ、ＬＲ１Ｇに分割される。そして、反射光ＬＲ１Ｆ、ＬＲ１Ｅは、第５の受光部ＤＡの外周側（図８紙面の上下方向の上側）にある第１および第２の受光部ＤＦ、ＤＥでそれぞれ受光される。また、反射光ＬＲ１Ｈ，ＬＲ１Ｇは、第５の受光部ＤＡよりトラック走行方向側（図８紙面の左右方向の左側）にあるトラック第３および第４の受光部ＤＨ、ＤＧでそれぞれ受光される。
【００１７】
そして、第１〜第５の受光部ＤＦ、ＤＥ、ＤＨ、ＤＧ、ＤＡはそれぞれの受光量に応じた受光信号を生成する。
【００１８】
特に、第１〜第４の受光部ＤＦ、ＤＥ、ＤＨ、ＤＧで生成された各受光信号に基づいて、従来の光ディスク装置では、トラッキングエラー信号が算出されていた。トラッキングエラー信号とは、記録再生用の光ＬＩを照射すべきトラックと光ＬＩの焦点とのトラッキング方向に関するずれ量を表す信号のことである。
【先行技術文献】
【特許文献】
【００１９】
【特許文献１】特開２００８−５９６６８号公報
【発明の概要】
【発明が解決しようとする課題】
【００２０】
ここで、図７で示した光ピックアップ７０において、例えば光ディスク１１０を再生すべく、光ＬＩを集光して光ディスク１１０の所定の記録層（以下、「対象記録層」という）に照射させたとする。このとき、光ディスク１１０のディスク表面および対象記録層よりもディスク表面側にある記録層において光ＬＩの一部が反射する。この反射した光（以下、「不要光」という）は、例えば図７中の矢印の方向に進むことがある。この矢印の方向に進んだ不要光は、光ＬＩが通過する系統とは別の系統のコリメータレンズ２８を介して偏光ビームスプリッタ２４に入射される。
【００２１】
このとき、偏光ビームスプリッタ２４の偏光分離面２４Ｓに対する不要光の入射角は鋭角となる。そのため、当該偏光分離面２４Ｓで反射する不要光の反射角も、偏光分離面２４Ｓに対して鋭角となる。その結果、偏光ビームスプリッタ２４で反射した不要光が、光検出器３４の第３および第４の受光部ＤＨ、ＤＧ（図８を参照）のある方向にほぼ直進する。そして、第１の回折光学素子３１およびシリンドリカルレンズ３３を介して、不要光（特に、その０次光）が第３あるいは第４の受光部ＤＨ、ＤＧに入射される。なお、図７に示したレイアウトでは、不要光が第３あるいは第４の受光部ＤＨ、ＤＧで受光されることついて説明したが、不要光の進む方向やレイアウト等が変われば、不要光が第１あるいは第２の受光部ＴＦ、ＴＥで受光されることも起こりうる。
【００２２】
以上説明したように、従来の光ディスク装置では、不要光が第１〜第４の受光部ＴＦ、ＴＥ、ＤＨ、ＤＧに入射する恐れがある。この不要光は、第１〜第４の受光部ＴＦ、ＴＥ、ＤＨ、ＤＧが通常受光する、１次光でなる反射光ＬＲ１よりも強くなることがある。そのため、当該第１〜第４の受光部ＴＦ、ＴＥ、ＤＨ、ＤＧそれぞれで生成される各受光信号から算出されるトラッキングエラー信号が乱れてしまう、という問題が生じる。
【００２３】
本発明は、斯かる点に鑑みてなされたものであり、光検出器の所定の受光領域に不要光が入射するのを防止することを目的としている。
【課題を解決するための手段】
【００２４】
上記課題を解決するため、本発明は、第１の光路を通過する第１の波長の光を収束して光ディスクに照射させる第１の対物レンズを備える。そして、第１の光路とほぼ平行の第２の光路を通過する第２の波長の光を収束して光ディスクに照射させる第２の対物レンズを備える。さらに、第１の光路と第２の光路の間に配置され、光ディスクにより反射される第１の波長の反射光のうち、第１の光路からはみ出した不要光が第２の光路側に侵入するのを遮る遮光部を備える。
【００２５】
本発明の上述した構成によれば、発生した不要光は、第２の光路がある方向（例えば、図７で示した矢印の方向）に進み、遮光部に入射される。これにより、不要光が第２の光路に進入できなくなる。
【発明の効果】
【００２６】
本発明によれば、不要光を第２の光路に進入できなくすることができる。その結果、不要光が、例えば第２の光路上にある各光学部品を通じて光検出器に入射されることがなくなり、光検出器の不要光よりも弱い反射光を受光する領域に不要光が入射するのを防止できる。したがって、この反射光に基づいて生成される信号の乱れを低減する、といったことも可能となる。
【図面の簡単な説明】
【００２７】
【図１】本発明の第１の実施形態に係る光ディスク装置の構成を示すブロック図である。
【図２】光ディスクの構造を示す断面図である。
【図３】本発明の第１の実施形態に係る光ピックアップを示す概略構成図である。
【図４】本発明の第２の実施形態に係る光ピックアップを示す概略構成図である。
【図５】本発明の第２の実施形態に係る遮光部を示す斜視図である。
【図６】本発明の第３の実施形態に係る光ピックアップを示す概略構成図である。
【図７】従来の光ピックアップを示す概略構成図である。
【図８】従来の光ピックアップを構成する光検出器の構成を示す上面図である。
【発明を実施するための形態】
【００２８】
以下、発明を実施するための形態（以下、「実施形態」という）について、図面を用いて説明する。なお、各実施形態においてはともに、例えばＢＤに対応する第１の波長の光、例えばＤＶＤに対応する第２の波長の光、例えばＣＤに対応する第３の波長の光をそれぞれ出射する光源を有する例を説明する。しかしながら、第１および第２の波長の光を出射数する光源のみを有する場合においても本発明は適用可能である。説明は以下の順序で行う。
１．第１の実施形態（２つの１／４波長板の間にある空間に遮光部を配置する例）
２．第２の実施形態（立ち上げミラーの中間部に遮光部を配置する例）
３．第３の実施形態（立ち上げミラーの端部に遮光部を配置する例）
【００２９】
＜１．第１の実施形態＞
［１−１．光ディスク装置の構成］
先ず、本発明の実施形態に係る光ディスク装置の概略構成を、図１を参照して説明する。
図１は、本発明の第１の実施形態に係る光ディスク装置の構成を示すブロック図である。
光ディスク装置１０は、統括制御部１１、駆動制御部１２、信号処理部１３、スピンドルモータ１５、スレッドモータ１６、光ピックアップ１７より構成される。そして異なる種類の光ディスク１００に対して情報の記録又は再生の少なくともいずれかを行うようになされている。なお、光ディスク１００に関して、ＢＤ（Blu-ray Disc）型のものを光ディスク１１０、ＣＤ（Compact Disc）又はＤＶＤ（Digital Versatile Disc）型のものを光ディスク１２０と区別して記載することもある。
【００３０】
図２に、一例として４層の記録層Ｙ０、Ｙ１、Ｙ２およびＹ３（以下、これらをまとめて記録層Ｙと呼ぶ）を有する光ディスク１００の一例の概略断面図を示す。なお、本実施形態に係る光ディスク装置１０はこの光ディスク１００に限定されず、２層以上の多層の記録層を有する光ディスクを１種以上含む２種以上の光ディスクに対応して記録や再生を行う構成とすることができる。この光ディスク１００の各記録層Ｙは、螺旋状又は同心円状のトラック溝が形成されており、当該トラック溝に沿って情報が記録される構成とされる。
【００３１】
再び図１に戻り、光ディスク装置１０について説明する。統括制御部１１は、図示しないＣＰＵ（Central Processing Unit）と、各種プログラム等が格納されるＲＯＭ（Read Only Memory）とを有する。また統括制御部１１は、このＣＰＵのワークメモリとして用いられるＲＡＭ（Random Access Memory）も有し、これらＣＰＵ、ＲＯＭおよびＲＡＭによって構成される。この統括制御部１１は、光ディスク１００から情報を再生する場合、駆動制御部１２を介してスピンドルモータ１５を回転駆動させ、ターンテーブル１５Ｔに載置された光ディスク１００を所望の速度で回転させる。
【００３２】
また統括制御部１１は、駆動制御部１２を介してスレッドモータ１６を駆動させることにより、光ピックアップ１７を移動軸に沿ってトラッキング方向、すなわち光ディスク１００の内周側又は外周側へ向かう方向へ大きく移動させるようになされている。
【００３３】
光ピックアップ１７は、対物レンズ１８や２軸アクチュエータ１９等の複数の部品が取り付けられており、統括制御部１１の制御に基づいて光ディスク１００へ記録又は再生用の光ＬＩを照射するようになされている。
【００３４】
また統括制御部１１は、図２に示す光ディスク１００に光ＬＩを照射する場合、記録層Ｙ０〜Ｙ３のうち情報を読み出す対象とする記録層Ｙ、すなわち光の焦点を合わせるべき記録層Ｙを対象記録層ＹＴとして選定するようになされている。
【００３５】
また光ピックアップ１７は、光ＬＩが光ディスク１００により反射されてなる反射光ＬＲを受光し、その受光結果に応じた受光信号を生成して信号処理部１３へ供給するようになされている。
【００３６】
信号処理部１３は、供給された受光信号を用いた所定の演算処理を行うことによりフォーカスエラー信号およびトラッキングエラー信号をそれぞれ生成し、これらを駆動制御部１２へ供給する。
【００３７】
駆動制御部１２のサーボ制御部１２Ａは、供給されたフォーカスエラー信号およびトラッキングエラー信号を基に、対物レンズ１８を駆動するための駆動信号を生成し、これを光ピックアップ１７の２軸アクチュエータ１９へ供給する。
【００３８】
光ピックアップ１７の２軸アクチュエータ１９は、この駆動信号に基づいて対物レンズ１８のフォーカス制御およびトラッキング制御を行い、当該対物レンズ１８により集光される光ＬＩの焦点位置を調整するようになされている。
【００３９】
また駆動制御部１２は、統括制御部１１から対象記録層ＹＴの通知を受け、当該対象記録層ＹＴに光ＬＩの焦点を合わせるようフォーカス制御を行うようになされている。
【００４０】
信号処理部１３は、受光信号に対し所定の演算処理、復調処理および復号化処理等を施すことにより、光ディスク１００に記録されている情報を再生し得るようになされている。
【００４１】
また光ディスク１００が記録可能であって光ディスク１００に情報を記録する場合、統括制御部１１は、図示しない外部機器等から記録すべき情報を受け付け、これを信号処理部１３へ供給する。信号処理部１３は、当該情報に対し所定の符号化処理や変調処理等を施すことにより記録用信号を生成し、これを光ピックアップ１７へ供給する。
【００４２】
光ピックアップ１７は、光ビームを記録用の強度とするとともに記録用信号に応じて変調させることにより、記録用信号に応じた記録マークを形成していく。例えば光ディスク１００がＢＤ−ＲＥ（Blu-ray Disc-Rewritable）と同様の記録方式の場合、記録層を形成する材料を局所的に相変化させることにより当該記録マークを形成する。
【００４３】
このように光ディスク装置１０は、光ディスク１００に対し光ピックアップ１７から光ビームを照射させ、その反射光を基にフォーカス制御およびトラッキング制御を行いながら、情報の再生処理や記録処理を行うようになされている。
【００４４】
［１−２．光ピックアップの構成］
次に、光ピックアップ１７の構成について図３を参照して説明する。
図３は、本発明の第１の実施形態に係る光ピックアップを示す概略構成図である。
光ピックアップ１７は、第１の波長の光を出射する第１の光源を有する光源部２１Ａと、第１の波長とは異なる第２および第３の波長の光を出射する第２および第３の光源を有する光源部２１Ｂとを備える。そして、この光ピックアップ１７は、光ディスク装置１０に装着された光ディスク１００に適応する波長の光を光ディスク１００に照射し、光ディスク１００から反射される反射光を第１の回折光学素子３１を介して１つの光検出器３４において受光する構成とされる。
【００４５】
図示の例では、光源部２１Ｂと光ディスク１００（１１０，１２０）との間に、第２の回折光学素子２２、偏光ビームスプリッタ２３、偏光ビームスプリッタ２４、コリメータレンズ２５，２８、１／４波長板２６，２９および対物レンズ２７，３０が配置される。そして、コリメータレンズ２８、１／４波長板２９および対物レンズ２７，３０は偏光ビームスプリッタ２４の偏光分離面２４Ｓに、コリメータレンズ２５、１／４波長板２６および対物レンズ２７は偏光ビームスプリッタ２４の反射面２４Ｒにそれぞれ対向している。なお、光源部２１Ａは偏光ビームスプリッタ２３の偏光分離面２３Ｓに対向する位置に配置される。
【００４６】
また、偏光ビームスプリッタ２４の偏光分離面２４Ｓおよび反射面２４Ｒの両方に対向して第１の回折光学素子３１、シリンドリカルレンズ３３および光検出器３４が配置される。
【００４７】
ここで光源部２１Ａの第１の光源としては、例えばＢＤの記録再生に対応する波長４０５ｎｍ近傍の青紫色レーザ光を出射するレーザダイオードを用いることができる。また、光源部２１Ｂの第２の光源としては、例えばＤＶＤの記録再生に対応する波長６６０ｎｍ近傍の赤色レーザ光を出射するレーザダイオードを用いることができる。さらに、光源部２１Ｂの第３の光源としては、例えばＣＤの再生に対応する波長７８５ｎｍの赤外レーザ光を出射するレーザダイオードを用いることができる。それぞれ、対応する光ディスク１００の種類に応じて、それぞれの規格における公差の範囲の波長の光を出射する光源を用いることが可能である。なお、第２および第３の波長の光を出射する光源として、同一基板上に形成されたレーザ素子を用いる場合は、光源部２１Ｂの小型化により、光ピックアップ１７全体の小型化を図ることができる。
【００４８】
これら光源部２１Ａ，２１Ｂは、光源制御部（不図示）の制御により、信号処理部１３のメディア判別に基づき、第１〜第３の波長の光ＬＩ、ＬＩ’、ＬＩ’’のいずれかを発散光として出射するようになされている。なお、光源部２１Ａのレーザダイオードは、出射光がＳ偏光となるように取り付け角度が調整され、光源部２１Ｂのレーザダイオードは、出射光がＰ偏光となるようにその取り付け角度等が調整される。
【００４９】
記録又は再生時には、統括制御部１１が光源制御部（不図示）を制御することにより、光源部２１Ａ又は２１Ｂの第１〜第３の光源のいずれかから光ＬＩ（又はＬＩ’又はＬＩ’’）を出射させる。光ディスク１００がＢＤ型の光ディスク１１０の場合、光源部２１Ａの第１の光源から光ＬＩを出射させ、偏光ビームスプリッタ２３へ入射させる。
【００５０】
なお、光ディスク１００がＤＶＤ型、又はＣＤ型の光ディスク１２０の場合は、光源部２１Ｂの第２の光源又は第３の光源から光ＬＩ’又はＬＩ’’を出射させる。そして第２の回折光学素子２２はこの光ＬＩ’又はＬＩ’’を、０次光と１次回折光（±１次光）の３ビームに分割して偏光ビームスプリッタ２３に入射させる。第２の回折光学素子２２は、３ビーム法によりトラッキング誤差信号を得るためのものであり、トラッキングを位相差トラッキング法等の１ビームで行う場合は第２の回折光学素子２２を省略してもよい。また、第２の波長の光に対応する光ディスク１２０のみを３ビーム法でトラッキング制御し、第３の波長の光に対応する光ディスク１２０は１ビームでトラッキング制御する構成でもよい。
【００５１】
偏光ビームスプリッタ２３の偏光分離面２３Ｓは例えばＰ偏光の光をほぼすべて透過するとともに、Ｓ偏光の光をほぼすべて反射するようになされている。上述したように光源部２１Ａの出射光ＬＩがＳ偏光、光源部２１Ｂの出射光ＬＩ’（又は、ＬＩ’’、以下同様）となるように調節されている。そのため、偏光ビームスプリッタ２３は、その偏光分離面２３Ｓで光ＬＩをほぼすべて反射させ、光ＬＩ’をほぼすべて透過させる。そして、偏光ビームスプリッタ２４へ入射させる。
【００５２】
偏光ビームスプリッタ２４は、光束分離合成部の一例であり、偏光分離面２４Ｓと、この偏光分離面２４Ｓと平行に配置される反射面２４Ｒとを有する。
【００５３】
具体的には、偏光ビームスプリッタ２４の偏光分離面２４ＳはＰ偏光の光をほぼすべて透過するとともに、Ｓ偏光の光をほぼすべて反射するようになされている。また、反射面２４Ｒは、入射される光をほぼすべて反射するようになされている。すなわち、光源部２１Ａから出射された光ＬＩを、偏光分離面２４Ｓおよび反射面２４Ｒでそれぞれ反射させ、第２の光源からから出射された光ＬＩ’を透過させる。そして、光ＬＩをコリメータレンズ２５に入射させ、光ＬＩ’をコリメータレンズ２８に入射させる。
【００５４】
コリメータレンズ２５は、偏光ビームスプリッタ２４を通じて入射された光ＬＩを発散光から平行光に変換して１／４波長板２６に入射させるようになされている。一方、コリメータレンズ２８は、偏光ビームスプリッタ２４を通じて入射された光ＬＩ’を発散光から平行光に変換して１／４波長板２９に入射させるようになされている。
【００５５】
これらのコリメータレンズ２５，２８は、互いが所定の位置関係になるようにコリメータレンズホルダ３５に収納・固定されている。そして、コリメータレンズホルダ３５が移動すれば、コリメータレンズ２５，２８も当該コリメータレンズホルダ３５と共に移動するようになっている。
【００５６】
コリメータレンズホルダ３５には、コリメータレンズ２５，２８のフォーカス方向と平行に、当該コリメータレンズホルダ３５を所定の移動範囲内で移動させるアクチュエータ（不図示）が取り付けられている。アクチュエータ（不図示）の駆動制御は、サーボ制御部１２Ａを介して統括制御部１１によって行われる。この統括制御部１１は、コリメータレンズ２５，２８をそのフォーカス方向に移動させることにより発生する球面収差で光ディスク１００のカバー層の厚さ等に応じて変化する球面収差が相殺されるように、アクチュエータ（不図示）を駆動する。
【００５７】
１／４波長板２６，２９は、同じものであり、入射された光を直線偏光と円偏光との間で相互変換し得るようになされている。１／４波長板２６は、Ｓ偏光でなる光ＬＩを左円偏光に変換して対物レンズ２７へ入射させ、１／４波長板２９は、Ｐ偏光でなる光ＬＩ’を右円偏光に変換して対物レンズ３０へ入射させる。
【００５８】
対物レンズ２７は、光ＬＩを光ディスク１１０の対象記録層ＹＴ上に集光し、対物レンズ３０は、光ＬＩ’を光ディスク１２０の対象記録層ＹＴ上に集光するようになされている。これらの対物レンズ２７，３０は、互いが所定の位置関係になるように対物レンズホルダ３６に収納・固定されている。そして、対物レンズホルダ３６が移動すれば、対物レンズ２７，３０も当該対物レンズホルダ３６と共に移動するようになっている。なお、この対物レンズホルダ３６は、２軸アクチュエータ１９（図１を参照）により動かされる。
【００５９】
ここで、統括制御部１１は、サーボ制御部１２Ａを介して、２軸アクチュエータ１９により、対物レンズ２７，３０のフォーカス方向又はトラッキング方向に関する位置を調整（フォーカス制御又はトラッキング制御）する。このため、対物レンズ２７，３０は、図２に示す焦点ＦＩを光ディスク１１０，１２０の対象記録層ＹＴにおおよそ合わせた状態で光ＬＩ，ＬＩ’を照射する。
【００６０】
光ＬＩは光ディスク１１０の対象記録層ＹＴで反射されて反射光ＬＲとなり、対物レンズ２７へ入射される。また、光ＬＩ’は光ディスク１２０の対象記録層ＹＴで反射されて反射光ＬＲ’となり、対物レンズ３０へ入射される。図示しないが、光ＬＩ’と同様に、この光ＬＩ’の±１次光、光ＬＩ’’および光ＬＩ’’の±１次光もそれぞれ対象記録層ＹＴで反射されて反射光ＬＲ’（±１）、ＬＲ’’およびＬＲ’’（±１）となり、対物レンズ３０へ入射される。なお、円偏光における回転方向が反射時に反転されるため、反射光ＬＲは右円偏光となり、反射光ＬＲ’（又はＬＲ’’等、以下同様）は左円偏光となる。
【００６１】
反射光ＬＲは、対物レンズ２７により発散光から平行光に変換され、１／４波長板２６により右円偏光からＰ偏光（直線偏光）へ変換され、コリメータレンズ２５で収束光に変換されて再び偏光ビームスプリッタ２４に入射される。また、反射光ＬＲ’は、対物レンズ３０により発散光から平行光に変換され１／４波長板２９により左円偏光からＳ偏光（直線偏光）へ変換され、コリメータレンズ２８で収束光に変換されて再び偏光ビームスプリッタ２４に入射される。
【００６２】
偏光ビームスプリッタ２４は、反射面２４Ｒで反射光ＬＲを反射して偏光分離面２４Ｓへ導く。そして、Ｐ偏光となる反射光ＬＲを偏光分離面２４Ｓにおいて透過し、第１の回折光学素子３１へ入射させる。また、偏光ビームスプリッタ２４は、Ｓ偏光となる反射光ＬＲ’を偏光分離面２４Ｓで反射し、第１の回折光学素子３１へ入射させる。なお、以後反射光ＬＲ’、ＬＲ’’、ＬＲ’（＋１）およびＬＲ’（−１）、ＬＲ’’（＋１）およびＬＲ’’（−１）は、反射光ＬＲと同様の経路を進行するので、説明を省略する。
【００６３】
第１の回折光学素子３１は、反射光ＬＲの０次光と１次回折光（＋１次光又は−１次光）を生じさせて、シリンドリカルレンズ３３へ入射させる。
この第１の回折光学素子３１は、回折素子としての性質により、反射光ＬＲを回折させて少なくとも０次光および１次回折光に分離する。このとき第１の回折光学素子３１は、０次光でなる反射光ＬＲ０をほぼ直進させるとともに、１次光でなる反射光ＬＲ１については０次光と異なる方向へ進行させ、シリンドリカルレンズ３３へ入射させる。
【００６４】
シリンドリカルレンズ３３は、第１の回折光学素子３１を透過後の０次光でなる反射光ＬＲ０に非点収差を持たせ、光検出器３４へ照射する。このシリンドリカルレンズ３３は、その光学的性質により、第１の回折光学素子３１による１次回折光についても同様に非点収差を持たせることになる。しかしながら第１の回折光学素子３１の回折格子により、予め１次回折光に当該非点収差を相殺するような収差を与えることで、シリンドリカルレンズ３３から出射される時点で収差をほとんど持たないようにすることができる。
【００６５】
光検出器３４は、例えば複数のフォトトランジスタ（不図示）を含んでおり、これらフォトトランジスタで反射光ＬＲ０および反射光ＬＲ１を別々に受光し、その受光量に応じた受光信号を生成するものである。
【００６６】
具体的には、光検出器３４は、光ディスク１００（１１０，１２０）に記録されている情報を再生する再生信号を信号処理部１３が生成するための受光信号を、受光した反射光ＬＲ０に基づいて生成する。
【００６７】
また、光検出器３４は、信号処理部１３がフォーカスエラー信号を生成するための受光信号を、受光した反射光ＬＲ０に基づいて生成する。なお、サーボ制御部１２Ａは、このフォーカスエラー信号に基づいて、上述のフォーカス制御を行う。
【００６８】
また、光検出器３４は、信号処理部１３がトラッキングエラー信号を生成するための受光信号を、受光した反射光ＬＲ１に基づいて生成する。なお、サーボ制御部１２Ａは、このトラッキングエラー信号に基づいて、上述のトラッキング制御を行う。
【００６９】
本実施形態では、偏光ビームスプリッタ２４と光ディスク１００（１１０，１２０）との間において、光ＬＩが通る経路を第１の光路とし、光ＬＩ’が通る経路を第２の光路として、遮光部１について説明を行う。
遮光部１は、不要光が第２の光路（特に、コリメータレンズ２８）に入らないようにするためのものである。ここで、不要光とは、光ＬＩが光ディスク１１０の対象記録層ＹＴ（図２を参照）に焦点を合わせて照射されている場合に、ディスク表面ＹＳおよび対象記録層ＹＴよりもディスク表面ＹＳ側にある記録層で反射される第１の光路からはみ出た光のことである。対象記録層ＹＴよりもディスク表面ＹＳ側にある記録層とは、図２Ａに示す例では記録層Ｙ１〜Ｙ３に相当し、図２Ｂに示す例ではＹ３に相当する。
【００７０】
遮光部１は、光の反射率が低い素材、例えば黒色の樹脂でできており、１／４波長板２６，２９の間にある空間に配置される。この遮光部１は、例えば板状に形成されており、その各面が１／４波長板２６，２９に対向している。そして、コリメータレンズホルダ３５および対物レンズホルダ３６が１／４波長板２６，２９に最も接近している状態（以下、「最接近状態」という）のとき、これらコリメータレンズホルダ３５および対物レンズホルダ３６に遮光部１が接触しない位置に設けられる。
【００７１】
対物レンズ２７のフォーカス方向（図３紙面の上下方向）の遮光部１の長さは、最接近状態のときのコリメータレンズホルダ３５と対物レンズホルダ３６との間の距離とほぼ等しいことが最も好ましいが、それより短くてもよい。また、当該フォーカス方向に直交する方向（図３紙面の奥行き方向）の遮光部１の長さは、対物レンズ２７の直径とほぼ同じがそれよりも長いことが好ましい。このように遮光部１を形成するのは、遮光部１をできるだけ大きくした方が、不要光が第２の光路に入ることをより確実に防止することができるからである。なお、遮光部１は１／４波長板２６，２９両方あるいはいずれか片方に固定してもよいし、光ピックアップ１７を構成する各光学部品を支持する光学基台上に固定してもよい。また、コリメータレンズホルダ３５あるいは対物レンズホルダ３６に固定してもよい。
【００７２】
［１−３．光ピックアップの動作および効果］
以上の構成において、光ディスク装置１０の光ピックアップ１７が光ＬＩを光ディスク１１０に照射すると、上述の不要光が生じる。
【００７３】
この不要光は、例えば第２の光路がある方向（図７で示した矢印の方向）に進み、遮光部１に入射される。遮光部１は反射率の低い素材でできているため、遮光部１により、入射された不要光がほとんど吸収される。これにより、不要光は第２の光路（特に、コリメータレンズ２８）に進入することができなくなる。その結果、不要光が、例えばコリメータレンズ２８、偏光ビームスプリッタ２４、第１の回折光学素子３１およびシリンドリカルレンズ３３を通じて光検出器３４に入射されることをなくすことができる。そのため、光検出器３４の反射光ＬＲ１（不要光よりも弱い光）を受光するフォトダイオードに不要光が入射するのを防止できる。したがって、反射光ＬＲ１に基づいて生成される受光信号およびこの受光信号から生成されるトラッキング信号の乱れを低減することができる。
【００７４】
＜２．第２の実施形態＞
［２−１．光ピックアップの構成］
光源部２１Ａ、２１Ｂから光ディスク１００に至る光学系の構成は図３に示す例に限定されない。例えば図３中の１／４波長板２６，２９および対物レンズ２７，３０の配置を変更することも可能である。図４にこの場合の概略構成図を示す。
図４Ａは、本発明の第２の実施形態に係る光ピックアップ４７を示す概略構成図である。
図４Ｂは、光ＬＩ’の光軸方向（図４Ａ紙面の左右方向の左側）から見たときの図４Ａに示す光ピックアップ４７の一部を示す概略構成図である。なお、図４において、図３と対応する部分には同一符号を付して重複説明を省略する。
【００７５】
図４に示すように、この光ピックアップ４７には、コリメータレンズ２８，３６の後段に立ち上げミラー４１が配置されている。この立ち上げミラー４１により、コリメータレンズ２５又はコリメータレンズ２８を通じて入射される光ＬＩ又は光ＬＩ’（又はＬＩ’’、以下同様）を反射させて、光ディスク１１０又は光ディスク１２０に導く構成とする。
【００７６】
具体的には、この立ち上げミラー４１は、ミラー部の一例であり、その反射面４１Ｒに入射される光を、その偏光方向によらず、ほぼすべて反射するようになされている。立ち上げミラー４１は、その反射面４１Ｒで、光ＬＩを反射させて１／４波長板２６に入射させ、光ＬＩ’を反射させて１／４波長板２９に入射させるように、立ち上げミラー保持部４２（図５を参照）によりその位置が固定されている。なお、立ち上げミラー保持部４２は、光ピックアップ４７を構成する各光学部品を支持する光学基台（不図示）で支持されている。
【００７７】
１／４波長板２６，２９に入射された光ＬＩ，ＬＩ’は、第１の実施形態と同様に、対物レンズ２７，３０を通じて光ディスク１１０，１２０に照射される。そして、光ディスク１１０，１２０から反射した反射光ＬＲ，ＬＲ’が対物レンズ２７，３０および１／４波長板２６，２９を通じて立ち上げミラー４１に再度入射される。
【００７８】
立ち上げミラー４１は、その反射面４１Ｒで、反射光ＬＲを反射させてコリメータレンズ２５に入射させ、反射光ＬＲ’を反射させてコリメータレンズ２８に入射させる。その後、これら反射光ＬＲ，ＬＲ’は、第１の実施形態と同様に、偏光ビームスプリッタ２４、第１の回折光学素子３１、シリンドリカルレンズ３３を介して光検出器３４へ導かれる。
【００７９】
本実施形態では、偏光ビームスプリッタ２４と光ディスク１００（１１０，１２０）との間において、光ＬＩが通る経路を第１の光路とし、光ＬＩ’が通る経路を第２の光路として、遮光部２について図５を参照して説明を行う。
【００８０】
遮光部２は、第１の実施形態と同様に、不要光が第２の光路に入らないようにするためのものである。この遮光部２は、光の反射率が低い素材、例えば黒色の樹脂でできており、略直角三角形の板状に形成されている。そして、図５に示すように、その各面が立ち上げミラー４１の反射面４１Ｒに対して垂直かつ対物レンズ２７，３０の光軸に対して平行になるように、当該反射面４１Ｒの中間部にその斜辺が固定される。ここでの中間部とは、第１の光路と第２の光路の間の任意の位置のことを指す。なお、遮光部２の斜辺の長さは、できるだけ長い方が好ましい。このように遮光部２を形成するのは、第１の実施形態と同様に、遮光部２をできるだけ大きくした方が、不要光が第２の光路に入ることをより確実に防止することができるからである。また、立ち上げミラー４１に遮光部２を設けることで、コリメータレンズホルダ３５と対物レンズホルダ３６の可動域を増やすことなく、ピックアップの小型化が可能になる。
【００８１】
なお、本実施形態においては、第１および第２の光路上に配置された１つの立ち上げミラー４１を用いて、光ＬＩ，ＬＩ’’を光ディスク１１０，１２０に照射させるようにした。しかしながら、第１および第２の光路上にそれぞれ立ち上げミラーを配置し、これら立ち上げミラーにより、光ＬＩ，ＬＩ’’を光ディスク１１０，１２０に照射させるようにしてもよい。この場合、遮光部２は、２つの立ち上げミラーの間に、図５にて説明した方向で配置される。
【００８２】
［２−２．光ピックアップの動作および効果］
以上の構成において、光ピックアップ４７が光ＬＩを光ディスク１１０に照射すると、第１の光路からはみ出して第２の光路の方に照射される不要光が生じる。
【００８３】
この不要光は、例えば第２の光路がある方向（図４Ｂに示した矢印の方向）に進み、遮光部２に直接入射される。また、不要光は、立ち上げミラー４１の反射面４１Ｒで一旦反射されてから遮光部２に入射される場合もある。
【００８４】
遮光部２は反射率の低い素材でできているため、遮光部２により、入射された不要光がほとんど吸収される。これにより、不要光は第２の光路に進入することができなくなる。その結果、不要光が、例えばコリメータレンズ２８、偏光ビームスプリッタ２４、第１の回折光学素子３１およびシリンドリカルレンズ３３を通じて光検出器３４に入射されることをなくすことができる。そのため、光検出器３４の反射光ＬＲ１（不要光よりも弱い光）を受光するフォトトランジスタに不要光が入射するのを防止できる。したがって、反射光ＬＲ１に基づいて生成される受光信号およびこの受光信号から生成されるトラッキング信号の乱れを低減することができる。
【００８５】
＜３．第３の実施形態＞
［３−１．光ピックアップの構成］
光源部２１Ａ，２１Ｂから光ディスク１００に至る光学系の構成は図３又は図４に示す例に限定されない。例えば図３又は図４に示した例では、２つのコリメータレンズ２５，２８を用いたが、１つのコリメータレンズ５１で光ピックアップを構成することも可能である。図６にこの場合の概略構成図を示す。
図６Ａは、本発明の第３の実施形態に係る光ピックアップを示す概略構成図である。
図６Ｂは、光源部２１Ｂから出射される光ＬＩ’の光軸方向（図６Ａ紙面の左右方向の右側）から見たときの図６Ａに示す光ピックアップ５７の一部を示す概略構成図である。なお、図６において、図３又は図４と対応する部分には同一符号を付して重複説明を省略する。
【００８６】
図６に示すように、この光ピックアップ５７には、光ピックアップ４７（図４を参照）の偏光ビームスプリッタ２３の代わりに、ダイクロイックプリズム４９が、偏光ビームスプリッタ２４の代わりに偏光ビームスプリッタ５０が、それぞれ設けられている。さらに、コリメータレンズ２５，２８の代替としてコリメータレンズ５１が、立ち上げミラー４１の代替として立ち上げミラー５２，５３がそれぞれ設けられている。なお、第１および第２の実施形態とは異なり、光源部２１Ａ，２１Ｂから出射される光ＬＩ，ＬＩ’，ＬＩ’’はすべてＳ偏光である。
【００８７】
ダイクロイックプリズム４９は、第１の波長を反射するとともに第２あるいは第３の波長を透過する波長選択面４９Ｓを有する。そして、光源部２１Ａから第１の波長である光ＬＩが入射された場合に、光ＬＩを波長選択面４９Ｓで反射させて偏光ビームスプリッタ５０に入射させる。光源部２１Ｂから第２又は第３の波長である光ＬＩ’（又はＬＩ’’、以下同様）が入射された場合に、光ＬＩ’を透過させて偏光ビームスプリッタ５０に入射させる。
【００８８】
偏光ビームスプリッタ５０は、Ｓ偏光の光を反射し、Ｐ偏光の光を透過する偏光分離面５０Ｓを有する。偏光ビームスプリッタ５０は、その偏光分離面５０Ｓでダイクロイックプリズム４９を通じて入射される、Ｓ偏光からなる光ＬＩ又はＬＩ’をほぼすべて反射させてコリメータレンズ５１に入射させる。
【００８９】
コリメータレンズ５１は、偏光ビームスプリッタ５０を通じて入射される光ＬＩ又はＬＩ’を発散光から平行光に変換して立ち上げミラー５２に入射させる。
【００９０】
立ち上げミラー５２は、波長選択部の一例であり、第１の波長を反射させるとともに第２あるいは第３の波長を透過させる。すなわち、コリメータレンズ５１を通じて入射される、第１の波長である光ＬＩを反射させて１／４波長板２６に入射させ、第２又は第３の波長である光ＬＩ’を透過させて立ち上げミラー５３に入射させる。
【００９１】
立ち上げミラー５３は、反射部の一例であり、立ち上げミラー４１（図４を参照）と同様に、立ち上げミラー５２を透過した光ＬＩ’をほぼすべて反射させて１／４波長板２９に入射させる。
【００９２】
１／４波長板２６，２９に入射された光ＬＩ，ＬＩ’は、第１の実施形態と同様に、対物レンズ２７，３０を通じて光ディスク１１０，１２０に照射される。そして、光ディスク１１０，１２０から反射した反射光ＬＲ，ＬＲ’が対物レンズ２７，３０および１／４波長板２６，２９を通じて立ち上げミラー５２，５３にそれぞれ再度入射される。
【００９３】
立ち上げミラー５３は、反射光ＬＲ’をほぼすべて反射させて立ち上げミラー５２に入射させる。立ち上げミラー５２は、第２又は第３の波長である反射光ＬＲ’をほぼすべて透過させて偏光ビームスプリッタ５０に再度入射させる。
【００９４】
また、立ち上げミラー５２は、第１の波長である反射光ＬＲをほぼすべて反射させて偏光ビームスプリッタ５０に再度入射させる。
【００９５】
偏光ビームスプリッタ５０に入射される反射光ＬＲ（又はＬＲ’、以下同様）は、第１又は第２の実施形態でもその原理を説明したように、１／４波長板２６，２９により、Ｓ偏光からＰ偏光に変換されている。偏光ビームスプリッタ５０は、その偏光分離面５０Ｓで、Ｐ偏光となる反射光ＬＲをほぼすべて透過させて第１の回折光学素子３１に入射させる。反射光ＬＲは、その後、第１又は第２の実施形態と同様に、シリンドリカルレンズ３３を介して光検出器３４へ導かれる。
【００９６】
本実施形態では、立ち上げミラー５２と光ディスク１１０との間において光ＬＩが通る経路を第１の光路とし、立ち上げミラー５３と光ディスク１２０との間において光ＬＩ’が通る経路を第２の光路として、遮光部３について説明を行う。
【００９７】
遮光部３は、第１又は第２の実施形態と同様に、不要光が第２の光路上に入らないようにするためのものである。そのため、遮光部３は、反射率の低い素材でできており、板状に形成されている。そして、遮光部３は、その各面がコリメータレンズ５１の光軸に対して垂直になるように第１の光路と第２の光路の間に配置され、立ち上げミラー５２の端部や上述の光学基台等に固定される。
【００９８】
対物レンズ２７のフォーカス方向（図６Ｂの紙面上下方向）の遮光部３の長さは、対物レンズホルダ３６が立ち上げミラー５２に最も近づいた状態において、当該遮光部３に対物レンズホルダ３６が当たらない程度の長さであればよい。
【００９９】
また、当該フォーカス方向に直交する方向（図６Ａの紙面左右方向）の遮光部３の長さは、対物レンズ２７の直径とほぼ等しいかそれよりも長いことが好ましい。このように遮光部１を形成するのは、遮光部１をできるだけ大きくした方が、不要光が第２の光路に入ることをより確実に防止することができるからである。
【０１００】
［３−２．光ピックアップの動作および効果］
以上の構成において、光ピックアップ５７が光ＬＩを光ディスク１１０に照射すると、第１の光路からはみ出して第２の光路の方に照射される不要光が生じる。
【０１０１】
この不要光は、例えば第２の光路がある方向（図６Ｂの矢印の方向）に進み、遮光部３に入射される。遮光部３は反射率の低い素材でできているため、遮光部３により、入射された不要光がほとんど吸収される。これにより、不要光は第２の光路に進入することができなくなる。その結果、不要光が、例えば立ち上げミラー５３で反射されて立ち上げミラー５２を透過し、さらにコリメータレンズ５１等を通じて光検出器３４に入射されることをなくすことができる。そのため、光検出器３４の反射光ＬＲ１（不要光よりも弱い光）を受光するフォトダイオードに不要光が入射するのを防止できる。したがって、反射光ＬＲ１に基づいて生成される受光信号およびこの受光信号から生成されるトラッキング信号の乱れを低減ことができる。
【０１０２】
以上説明したように、本発明の各実施形態によれば、トラッキング信号の乱れを低減できるので、光ディスク装置は、ドライブ動作におけるデフォーカス調整、トラッキングバランス調整、信号読み取り性能等が劣化することなく安定した動作をすることができる。
【０１０３】
以上、本発明の各実施形態の例について説明したが、本発明は上記各実施形態例に限定されるものではなく、特許請求の範囲に記載された本発明の要旨を逸脱しない限りにおいて、他の変形例、応用例を含むことはいうまでもない。
【符号の説明】
【０１０４】
１，２，３…遮光部、１０…光ディスク装置、１１…統括制御部、１２…駆動制御部、１３…信号処理部、１５…スピンドルモータ、１６…スレッドモータ、１７，４７，５７…光ピックアップ、１８,２７，３０…対物レンズ、１９…２軸アクチュエータ、２１Ａ，２１Ｂ…光源部、２２…第２の回折光学素子、２３，２４，５０…偏光ビームスプリッタ、２５，２８，５１…コリメータレンズ、２６，２９…１／４波長板、３１…第１の回折光学素子、３３…シリンドリカルレンズ、３４…光検出器、３５…コリメータレンズホルダ、３６…対物レンズホルダ、４１，５２，５３…立ち上げミラー、４２…立ち上げミラー保持部、４９…ダイクロイックプリズム、１００,１１０，１２０…光ディスク
【図１】
2012059342.tif 000003
【図２】
2012059342.tif 000004
【図３】
2012059342.tif 000005
【図４】
2012059342.tif 000006
【図５】
2012059342.tif 000007
【図６】
2012059342.tif 000008
【図７】
2012059342.tif 000009
【図８】
2012059342.tif 000010